(57)【特許請求の範囲】
【請求項１】
上下方向に長さを有し、上端に開口が形成された中空形状である一対の脚部と、
回動可能に取り付けてなる天板と、
前記脚部の下部における前方と後方とに少なくとも１つずつ設けられた一対のキャスタと、
前記脚部の下部に設けられた接触部と、
前記一対のキャスタおよび前記接触部のうちいずれか１つ以上である可動部と前記天板とを連結し、前記天板の回動に応じて前記可動部を昇降させることで、前記一対のキャスタおよび前記接触部のうち床面に接触するものを切り替える昇降機構と、を備え、
前記昇降機構は、前記開口を経由して前記天板と前記可動部とを連結するものであり、
また前記昇降機構は、
前記天板と連結する天板連結部材と、
前記脚部の内部に配置され、前記可動部と連結するロッドと、
前記天板の回転軸の軸線と平行に前記脚部に固定される支軸と、
前記支軸によって回転可能に軸支され、前記天板連結部材および前記ロッドと連結する回転部材と、を有し、
前記回転部材は、前記天板連結部材と連結する領域が前記開口から突出するように配置されており、
前記回転部材における前記支軸が配される位置は、前記昇降機構を前記支軸の軸方向を法線方向とする平面に投影したときに、前記回転部材における前記天板連結部材と連結する領域および前記支軸の中心を通過する直線と、前記回転部材における前記ロッドと連結する領域および前記支軸の中心を通過する直線と、の２つの直線が角度を有して交差する位置である
ことを特徴とするテーブル。
【請求項２】
前記回転部材は、該回転部材が前記支軸を回転軸として回転したときに、前記回転部材における前記天板連結部材と連結する領域が前記支軸の上方を通過して移動するように構成されている
ことを特徴とする請求項１に記載のテーブル。
【請求項３】
前記一対の脚部を連結しており、少なくとも一部が円柱形状の円柱部として形成されてなる框部を備え、
前記天板は、前記円柱部を回転軸として回動する
ことを特徴とする請求項１又は請求項２に記載のテーブル。
【請求項４】
前記支軸は、前記円柱部と略同軸上となるように配置される
ことを特徴とする請求項３に記載のテーブル。
【請求項５】
前記テーブルは、前記天板の回転軸の軸線が上面視にて前記開口の中心を通過するように、前記天板および前記脚部が配置されている
ことを特徴とする請求項１から請求項４のいずれか１項に記載のテーブル。
【請求項６】
前記脚部の上部および前記昇降機構を覆うカバー部材を備える
ことを特徴とする請求項１から請求項５のいずれか１項に記載のテーブル。
【請求項７】
前記天板の重心が、上面視にて前記天板の回転軸の軸線上に位置する
ことを特徴とする請求項１から請求項６のいずれか１項に記載のテーブル。
【発明の詳細な説明】
【技術分野】
【０００１】
本発明は、天板が回動可能となるテーブルに関する。
【背景技術】
【０００２】
従来、オフィスや学校などで使用されるテーブルとして、天板が回動可能となるものがある。このようなテーブルは天板を略水平とすることで使用状態となる一方、天板を略鉛直に起立させることで、複数のテーブルを前後に重ねて収納できる収納状態となる。また、テーブルの下端にキャスタを配置して、天板の回動に連動させてキャスタによる移動の可否を切り替え可能に構成されたものもある。
【０００３】
上述したテーブルは、間隔を空けて配置された一対の脚部によって天板を支持しているため、テーブルの強度を上げて安定して使用するために、脚部同士を連結する框部が設けられている。
【０００４】
この框部は脚部の間に配置されるため、この框部によって使用者の脚を納める空間が狭められてしまう。そこでこの框部を脚部の上方に移動させて、さらに天板の回転軸として用いることで、使用者の脚を納める空間を確保でき、かつ強度を高めたテーブルが提案されている。このようなテーブルとして、例えば框部（回転支軸）を脚部（脚支柱）の上端部に横架させ、回転支軸の側端部を脚支柱の内側端部よりも外側に位置づけてなるテーブルが提案されている（特許文献１参照）。
【先行技術文献】
【特許文献】
【０００５】
【特許文献１】特開２００４−３５７９７９号公報
【発明の概要】
【発明が解決しようとする課題】
【０００６】
天板の回動に連動させて行うキャスタによる移動の可否の切り替えは、例えば、天板の回動に合わせて脚部内に配置されたロッドを昇降動作させて、キャスタが床面に当接するか否かを切り替えることで実現している。
【０００７】
ここで、天板の回転軸が上述した框部でなければ、天板の回転軸とロッドとを少数の部品を介して連結させることでロッドの昇降を実現できるため、その機構が簡素化・小型化できる。
【０００８】
しかしながら、框部を回転軸とするテーブルの場合、框部はテーブルの補強を担うものであるため、強度を保つために脚部に対して回動不能に固定することが望まれる。その結果、ロッドを昇降させるためには、天板とロッドとを繋ぎ、天板の回動をロッドの昇降動に変換する部材を別途取り付ける必要が生じる。
【０００９】
上記特許文献１のテーブルは、特許文献１の図２および図６に示されているように、天板受け３２の側面に棒状の部材が配置されて、脚支柱２１内部のロッドとは脚支柱２１の内側面を貫通するように配置された軸状の部材を介して連結している。また同図４から分かるように、軸状の部材は天板１の回動位置に応じて上下に移動する。
【００１０】
従って、上記特許文献１のテーブルでは、棒状の部材が脚部の内側にて上下に動作するため、使用者の脚が接触する虞がある。また、脚部に軸状の部材が移動するための長穴や切り欠きを形成する必要があるため、脚部の強度が低下してしまううえ、長穴などに身体の一部や衣服などが挟まってしまう虞がある。
【００１１】
本発明は、上述した問題に鑑みてなされたものであり、その目的は、脚部の強度を高くでき、脚部側方において身体などの挟み込みの危険を低減できるテーブル、およびテーブルの組み立て方法を提供することである。
【課題を解決するための手段】
【００１２】
上述した問題を解決するためになされた請求項１に記載の発明は、天板の回動位置によってキャスタによる移動ができる状態と移動ができない状態とが切り替えられるテーブルに関するものであって、一対の脚部および天板を有している。脚部は、上下方向に長さを有しており、上端に開口が形成された中空形状である。また天板は回動可能に取り付けてられている。
【００１３】
脚部の下部には、キャスタと接触部とが配置されており、昇降機構によって床面に接触するものが切り替えられる。キャスタは前方と後方とに少なくとも１つずつ設けられている。接触部とは、床面と接触してテーブルの移動を抑制するものであって、脚部に１つ以上設けられていればよい。
【００１４】
昇降機構は、上述した一対のキャスタおよび接触部のうち、いずれか１つ以上である可動部と天板とを連結している。そして、天板の回動に応じて可動部を昇降させることで、床面に接触するものを切り替える。例えば可動部が接触部であれば、接触部を上昇させることで相対的にキャスタが下に移動し、キャスタが床面と接触してテーブルの移動が可能となる。また接触部を下降させることで、接触部が床面と接触してテーブルの移動が不可能となる。可動部はキャスタであってもよい。その場合、キャスタは複数が昇降してもよいし、例えば前方または後方のいずれか一方のみが昇降してもよい。
【００１５】
そして、上述した昇降機構は、脚部上端の開口を経由して天板と可動部とを連結するものであり、天板と連結する天板連結部材と、脚部の内部に配置され、可動部と連結するロッドと、天板の回転軸の軸線と平行に脚部に固定される支軸と、支軸によって回転可能に軸支され、上記天板連結部材および上記ロッドと連結する回転部材と、を有し、回転部材は、天板連結部材と連結する領域が開口から突出するように配置されている。
そして、回転部材における支軸が配される位置は、昇降機構を支軸の軸方向を法線方向とする平面に投影したときに、回転部材における天板連結部材と連結する領域および支軸の中心を通過する直線と、回転部材におけるロッドと連結する領域および支軸の中心を通過する直線と、の２つの直線が角度を有して交差する位置である。
従って、上記構成のテーブルでは、昇降機構の動作を妨げないように脚部の側方に穴や切り欠きを形成する必要がないので、脚部の強度を高く保つことができる。
【００１６】
また、脚部の側方にて動作する部品が必要なくなるので、それらの部品に使用者の脚が接触することがなく、それらの部品と脚部や天板等の構造との隙間や、上記穴や切り欠きとの隙間に使用者の身体の一部や衣服などが挟まる虞がない。即ち、脚部側方における挟み込みの危険を低減できる。
【００１７】
なお、上述した天板と可動部との連結とは、天板の回動が可動部の昇降動作に連動するように、昇降機構や天板、可動部などの各構成要素が配置されていることを意味する。即ち、各構成要素が常時接触している必要はない。例えば天板が水平状態では接触していないが、鉛直方向に回動すると接触して、回動を伝えるように構成された構成要素が含まれていてもよい。
【００１８】
また上記テーブルにおいて、回転部材は、該回転部材が支軸を回転軸として回転したときに、回転部材における天板連結部材と連結する領域が支軸の上方を通過して移動するように構成されていてもよい。
上述した請求項１の構成は様々なテーブルに適用できるが、請求項３に記載のテーブルのように、一対の脚部を連結しており、少なくとも一部が円柱形状の円柱部として形成されてなる框部を備えており、天板がこの円柱部を回転軸として回動する構成に適用してもよい。
【００１９】
このように構成されたテーブルでは、框部を上方に配置できるため使用者の脚が収納できる範囲が広くなる。また、框部を回転軸とすることにより回転軸を昇降機構の一部として利用できない場合（即ち、天板の回動をロッドの昇降動に変換する部材が別途必要となる場合）であっても、脚部の強度を下げることを抑制でき、また脚部側方における挟み込みの危険を低減できる。
【００２０】
本発明のテーブルは、昇降機構が、天板と連結する天板連結部材と、脚部の内部に配置され、可動部と連結するロッドと、天板の回転軸の軸線と平行に脚部に固定される支軸と、支軸によって回転可能に軸支され、天板連結部材およびロッドと連結する回転部材と、を有する構成である。
【００２１】
このような昇降機構は、天板の回動に合わせて回転部材が回転し、その回転によってロッドが昇降動作する。このロッドの動作によって、可動部を昇降動作させることが可能となる。
【００２２】
なお、上述した支軸は、請求項４に記載のテーブルのように、円柱部と略同軸上となるように配置してもよい。
このように構成されたテーブルでは、回転部材が天板と同軸で回転する。仮に、回転部材と天板との軸が一致していない、即ち同軸でない場合、天板と回転部材とを連結させて天板の回動に合わせて回転部材を回転させると、天板と回転部材との位置関係が変化する。そのため、天板連結部材をその位置関係の変化に対応して形態が変化できるように構成する必要がある。例えば、天板連結部材を複数の部品を組み合わせたリンク機構として構成したり、スライドによって長さが可変となるように天板連結部材と天板または回転部材とを連結したりする必要がある。その結果、天板連結部材の動作に必要なスペースが大きくなってしまい、脚部の内部に昇降機構を配置することが困難になる。
【００２３】
しかしながら請求項４に記載のテーブルでは、回転部材と天板とが同軸で回転するため、回転部材は天板との位置関係を変化させず回転することとなり、天板連結部材が形態を変化させる必要がない。よって、天板の回動に伴って天板連結部材が動作するスペース（天板連結部材が移動するために必要な空間）が小さくなり、脚部の開口を経由して天板と可動部とを連結させることが容易になると共に、昇降機構の省スペース化や身体の一部などを挟み込んでしまう危険の低減などを実現できる。
【００３０】
請求項５に記載の発明は、請求項１から請求項４のいずれか１項に記載のテーブルにおいて、天板の回転軸の軸線が上面視にて脚部上端の開口の中心を通過するように、天板および脚部が配置されていることを特徴とする。
【００３１】
このように構成されたテーブルは、昇降機構を天板の回転軸の中心に合わせて配置することで、昇降機構の構成要素が脚部の開口に納まりやすくなる結果、脚部からはみ出す部分を小さくすることができる。
【００３２】
請求項６に記載の発明は、請求項１から請求項５のいずれか１項に記載のテーブルにおいて、脚部の上部および昇降機構を覆うカバー部材を備えることを特徴とする。
このように構成されたテーブルは、脚部上部に設けられた開口や昇降機構がカバー部材によって覆われるため、天板を回動させたときなどに開口や昇降機構によって身体の一部などを挟み込んでしまう危険を低減できる。
【００３３】
請求項７に記載の発明は、請求項１から請求項６のいずれか１項に記載のテーブルにおいて、天板の重心が、上面視にて円柱部の軸線上に位置することを特徴とする。
このように構成されたテーブルは、脚部によって天板を重心の下から支えることができる。よってテーブル全体のバランスが良くなり安定して使用できると共に、天板の回転をスムーズに行うことができる。
【図面の簡単な説明】
【００３７】
【図１】実施例のテーブルを示す側面図（Ａ）、正面図（Ｂ）、平面図（Ｃ）
【図２】実施例のテーブルを示す斜視図
【図３】天板の回動動作を説明する側面図
【図４】昇降機構の周辺を拡大した側面図（Ａ）、正面図（Ｂ）
【図５】変形例の框を示す斜視図
【発明を実施するための形態】
【００３８】
以下に本発明の実施形態を図面と共に説明する。ただし、以下に説明する実施形態は、あくまでも例示にすぎず、本発明が、下記の事例以外にも様々な形態で実施できるのはもちろんである。
［実施例］
（１）全体構成
図１および図２に、本実施例のテーブル１を示す。図１において（Ａ）がテーブル１の側面図、（Ｂ）が正面図、（Ｃ）が平面図である。なお、図１（Ｃ）は天板１１など一部の要素を透視した図である。また、図２は分解斜視図である。なお、本実施例のテーブル１は左右対称形となっているため、以下では一方の側面についてのみ説明する。また、各図においては、見易さの観点から一部の構成要素を省略している場合がある。
【００３９】
テーブル１は、天板１１と、上下方向に長さを有し、天板１１を保持する中空柱状の脚部１３と、を備える。
脚部１３の上端には、図２に示すように、上下方向に開く開口１５が形成されている。また脚部１３は、脚部１３と対になる図示しない反対側の脚部と円筒形状の框１７（本発明の框部）にて連結している。
【００４０】
脚部１３の内側（対となる脚部側）側面には框保持部１９が取り付けられている。框保持部１９は、脚部１３に固定される固定部２１と、固定部２１から脚部１３と反対方向に延び出した円柱形の突出部２３と、突出部２３に設けられた板状のロック受け２５と、からなる。固定部２１は、後述する支軸７１や図示しないボルト等で脚部１３に固定される。また突出部２３は框１７に挿入されて、図示しないボルト等で框１７に対して固定される。
【００４１】
天板１１の裏面には天板保持部３１が取り付けられている。この天板保持部３１は、蓋部３３が取り付け可能に構成されている。図２に示すように、天板保持部３１には半円形の切り欠き３５（３５ａ、３５ｂ）が形成されている。また蓋部３３にも半円形の切り欠き３７（３７ａ、３７ｂ）が形成されている。
【００４２】
天板保持部３１に蓋部３３を取り付けると、切り欠き同士が組み合わされて円形の孔が形成される。この孔を框１７が通過するように、天板保持部３１と蓋部３３とで框１７を挟み込んで組み付けることで、天板１１は框１７を回転軸として回動可能に取り付けられる。詳細には、天板保持部３１の内側の切り欠き３５ａと、蓋部３３の内側の切り欠き３７ａとで形成される孔はロック受け２５よりも内側に位置し、外側の切り欠き３５ｂと３７ｂとで形成される孔はロック受け２５よりも外側に位置する。なお、外側の切り欠き３５ｂと３７ｂは突出部２３の直径よりも大きく形成されていて、天板保持部３１と蓋部３３とを組み付けた状態では突出部２３と接触しない。そのため、実質的に天板１１の保持は框１７のみにおいて実現されている。
【００４３】
なお、天板１１は、框１７に取り付けられたときに、その重心が上面視にて框１７の軸線上に位置するように構成される。
天板保持部３１の外側側面にはレバー４１が配置される。レバー４１には回転軸４３が設けられている。天板保持部３１は、外側側面に設けられた第１貫通孔４５にて回転軸４３を回転可能に保持することで、レバー４１をその回転軸４３を中心として回転可能に保持する。またこの回転軸４３にはロック金具４７が固定されており、レバー４１の回転に伴って回転する。
【００４４】
回転軸４３は、図示しないスプリングによって図１（Ａ）における矢印Ａ方向に回転するように付勢されており、即ちレバー４１およびロック金具４７も同方向に回転するように付勢される。そのため、レバー４１が使用者によって操作されていない場合には、ロック金具４７はロック受け２５側に付勢されて移動しており、天板１１の回動状態によって当接部４９または溝５１に接触して引っ掛かり、その状態が維持される。図１（Ａ）はロック金具４７が当接部４９に当接した状態であり、これによって天板１１の矢印Ｂ方向への回動が抑制される。なお、矢印Ｂと逆方向への回動は、接触片５５がロック受け２５に接触することにより抑制される。
【００４５】
レバー４１を付勢力に反して矢印Ｃ方向に動かすと、ロック金具４７は当接部４９に当接しなくなり、図３（Ａ）に示すように天板１１が回動可能となる。天板１１を略鉛直状態となるまで回動させてレバーを離すと、図３（Ｂ）に示すようにロック金具４７が溝５１に引っ掛かり、天板１１の回動が抑制される。
【００４６】
なお、ロック受け２５およびロック金具４７は、天板保持部３１と蓋部３３とを組み合わせたものの内部に配置される。
脚部の下部６１は前後方向（脚部の並ぶ方向と交差する方向）に延び出し、その両端から下方向に接触部６３が突出している。この接触部６３が床面と接触することで、テーブル１の移動が制限される。
【００４７】
また、下部６１内部には前方と後方（図１（Ａ）における左右方向）にキャスタ６５が設けられたキャスタ支持部材６７が配置されている。このキャスタ支持部材６７は、後述する昇降機構６９によって天板１１の回動とリンクして昇降動作するように構成されている。即ち、図１（Ａ）のように天板１１が略水平に寝ているとキャスタ支持部材６７は上方向に動き、キャスタ６５が接触部６３に対して相対的に上方向に移動することで、接触部６３が床面に接触する。また、図３（Ｂ）のように略鉛直に天板１１を立てると、キャスタ支持部材６７が下方向に動きキャスタ６５が接触部６３よりも相対的に下方向に移動し、キャスタ６５のみが床面と接触する結果テーブル１の移動が可能となる。
【００４８】
なお、前後一対のキャスタ６５が、本発明における可動部に相当する。即ち、キャスタ支持部材６７を昇降動作させることによって可動部の昇降が実現される。
（２）昇降機構の構成
昇降機構６９は、框１７を回転軸とした天板１１の回動をキャスタ支持部材６７に伝える機構であって、支軸７１、回転部材７３、ロッド７５、天板連結部材７７などを有している。
【００４９】
支軸７１は、図２に示すように、円柱状の部材であって一端に雄ねじ８１が形成されており、脚部１３に形成された貫通孔８３から差し込んで、脚部１３と固定部２１とをねじ止めによって固定する。この支軸７１は、突出部２３および框１７と同軸上に配置される。
【００５０】
回転部材７３は、断面コの字型の板状の部材であって、両側面には貫通孔８５が形成されていいて、上記支軸７１がこの貫通孔８５を通過するように配置される。これによって、回転部材７３は支軸７１を回転軸として回動可能となる。
【００５１】
回転部材７３の一端にはロッド７５の上端が軸８７によって回動可能に連結されている。この軸８７は支軸７１と平行に配置されている。
ロッド７５は脚部１３の内部に配置されており、ロッド７５の下端はキャスタ支持部材６７と連結している。つまり、このロッド７５を昇降させることによってキャスタ支持部材６７が昇降する。
【００５２】
回転部材７３の他端には棒状の天板連結部材７７の一端が固定されている。この天板連結部材７７の他端は天板保持部３１の第２貫通孔８９に挿入されている。
なお、脚部１３の上部には、開口１５および昇降機構６９を覆うカバー部材９１が取り付けられる。
【００５３】
このように構成された昇降機構６９は、天板１１の回動に合わせて天板保持部３１が回動すると、天板連結部材７７によって連結された回転部材７３が天板１１の回動に合わせて回動し、ロッド７５を上下させる。これにより、キャスタ支持部材６７を天板１１の回動とリンクして昇降動作することができる。
【００５４】
図４（Ａ），（Ｂ）に、図１（Ａ），（Ｂ）における昇降機構６９周辺を拡大した図を示す。なお、昇降機構６９以外の要素は適宜省略して表している。
図４（Ａ），（Ｂ）から分かるように、昇降機構６９は脚部１３の開口１５を経由して天板１１とキャスタ支持部材６７とを連結している。また、昇降機構６９は框１７（回転軸）の側方（軸線方向）に配置される。
【００５５】
天板１１の回動をロッド７５の昇降動作に変換する回転部材７３は、天板１１の回転軸付近を中心とする限られた範囲で動作しており、昇降機構６９はコンパクトになっている。
【００５６】
また、天板１１の回転軸の軸線が上面視にて開口１５の中心を通過するように、天板１１および脚部１３が配置されている。
なお、テーブル１の組み立ては、脚部１３に昇降機構６９を予め組み付けておき、組み立ての現場で天板連結部材７７を天板保持部３１の第２貫通孔８９に挿入するとよい。そのように組み立てることで、天板と昇降機構６９との組み付けを容易に行うことができる。また、天板連結部材７７を回転部材７３から分離させて予め天板保持部３１に組みつけておき、組み立て現場では天板連結部材７７と回転部材７３とを固定するようにしてもよい。
（３）発明の効果
本実施例のテーブル１は、昇降機構６９が脚部１３の開口１５を経由して天板１１とキャスタ支持部材６７とを連結しているため、昇降機構６９の動作を妨げないように脚部１３の側方に穴や切り欠きを形成する必要がないので、脚部１３の強度を高く保つことができる。
【００５７】
また、脚部１３の側方にて動作する部品が必要なくなるので、それらの部品に使用者の脚が接触することがなく、それらの部品と脚部１３や天板１１等の構造との隙間や、上記穴や切り欠きとの隙間に使用者の身体の一部や衣服などが挟まる虞がない。即ち、脚部１３側方における挟み込みの危険を低減できる。
【００５８】
また、本実施例のテーブル１では、框１７を上方に配置できるため使用者の脚が収納できる範囲が広くなる。
また、本実施例のテーブル１では、回転部材７３と天板１１とが同軸で回転するため、回転部材７３は天板１１との位置関係を変化させず回転する。回転部材７３と天板１１との位置関係が変化する場合、それらを連結する部品は、複数の構成要素からなるリンク機構などを用いる必要があるが、実施例の構成ではそのような必要がないので、天板連結部材７７のように形態の変化しない部品を用いることができる。従って、天板１１の回動に伴って天板連結部材７７が動作するスペース（天板連結部材７７が移動するために必要な空間）が小さくなり、脚部１３の開口１５を経由して天板１１とキャスタ支持部材６７とを連結させることが容易になると共に、昇降機構６９の省スペース化や、脚部１３からはみ出した部品によって身体の一部などを挟み込んでしまう危険を低減できる。
【００５９】
さらに、カバー部材９１によって開口１５や昇降機構６９が覆われているため、天板１１を回動させたときなどに開口１５や昇降機構６９によって身体の一部などが挟み込まれることをより確実に防止できる。
【００６０】
また、本実施例のテーブル１は、天板１１の重心が、上面視にて框１７の軸線上となるように天板１１が設けられている。天板１１は広い面積と高い強度が必要であるため重量が大きいが、その重心の真下にて保持されることで、テーブル１全体のバランスが良くなり安定して使用できる。また天板１１が框１７にてバランスよく保持されることから、天板１１の前後に重心が偏ることなく天板１１の回転をスムーズに行うことができる。
（４）変形例
以上、本発明の実施例について説明したが、本発明は、上記実施例に何ら限定されることはなく、本発明の技術的範囲に属する限り種々の形態をとり得ることはいうまでもない。
【００６１】
例えば、上記実施例においては、支軸７１を框１７と同軸に配置する構成を例示したが、同軸でなくともよい。その場合には天板１１の回動によって天板１１と回転部材７３との位置関係が変化するため、その変化に追従できるように天板連結部材７７を構成するとよい。
【００６２】
また、上記実施例においては、天板１１の回動に応じてキャスタ６５を昇降させる構成を例示したが、接触部６３を昇降させるように構成してもよい。その場合には、天板１１の回動とロッド７５の昇降の関係が上記実施例と逆になるように昇降機構を構成するとよい。また、上記実施例では前後のキャスタ６５が共に動作する構成を例示したが、いずれか一方は常時床面に当接しており、他方のみ昇降動作する構成であってもよい。
【００６３】
また、上記実施例においては、框１７として全体が円筒形であるものを用いる構成を例示したが、天板１１と連結する部分（天板保持部３１と蓋部３３にて挟み込まれる部分）が円柱形状となっていれば、それ以外の部分の形状はどのようなものであってもよい。例えば、図５（Ａ）に示すように、角柱状の框１０１において、天板１１と連結する部分のみ円柱形状の円柱部１０３となっていてもよいし、図５（Ｂ）に示すように、角柱状の框１０５から突出した部分に円柱形状の円柱部１０７が形成されていてもよい。
【符号の説明】
【００６４】
１…テーブル、１１…天板、１３…脚部、１５…開口、１７…框、１９…框保持部、２１…固定部、２３…突出部、２５…ロック受け、３１…天板保持部、３３…蓋部、３５…切り欠き、３７…切り欠き、４１…レバー、４３…回転軸、４５…第１貫通孔、４７…ロック金具、４９…当接部、５１…溝、５５…接触片、６１…下部、６３…接触部、６５…キャスタ、６７…キャスタ支持部材、６９…昇降機構、７１…支軸、７３…回転部材、７５…ロッド、７７…天板連結部材、８１…雄ねじ、８３…貫通孔、８５…貫通孔、８７…軸、８９…第２貫通孔、９１…カバー部材、１０１…框、１０３…円柱部、１０５…框、１０７…円柱部
【図１】
0005627293.tif 000002
【図２】
0005627293.tif 000003
【図３】
0005627293.tif 000004
【図４】
0005627293.tif 000005
【図５】
0005627293.tif 000006